【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
複数成分材料をインビボの位置に適用する際に有用な腹腔鏡スプレーデバイスであって、以下：
インターフェース部材であって、少なくとも２種の材料成分を貯蔵する少なくとも２つの材料レザバを有する材料アプリケータに取り外し可能に連結され得る、インターフェース部材；
第一の端部および第二の端部を有する細長本体であって、該細長本体は、少なくとも２つの管腔をその中に有し、該少なくとも２つの管腔は、該第一の細長本体端部にて、該第一のインターフェース部材と流体連絡している第一の管腔端部および第二の管腔端部を有する、細長本体；
該スプレー先端部近位端部および該スプレー先端部遠位端部を有するスプレー先端部であって、該スプレー先端部は、該スプレー先端部近位端部において該第二の細長本体端部に取り外し可能に連結され、該スプレー先端部は、
該第二の管腔にて該少なくとも２つの管腔と流体連絡している混合チャンバ；
該スプレー先端部遠位端におけるスプレー開口部；および
該スプレー開口部に近接する該混合チャンバ内に位置づけられるスプレー形成部材
を備えるスプレー先端部；ならびに
該第二の管腔端部に近接する該混合チャンバ内に位置づけられる少なくとも１つの可撓性混合部材であって、該可撓性混合部材は、成分材料を進めることによって適用される力に応答して曲げられて狭め要素を形成するように配置され、そして、該可撓性混合部材は、該混合チャンバ内で混合乱流を形成することによって該成分材料のインピンジメント混合を起こし得る、少なくとも１つの可撓性混合部材を備える、腹腔鏡スプレーデバイス。
【請求項２】
複数成分材料をインビボの位置に適用する際に有用な腹腔鏡スプレーデバイスであって、以下：
インターフェース部材であって、少なくとも２種の材料成分を貯蔵する少なくとも２つの材料レザバを有する材料アプリケータに取り外し可能に連結され得る、インターフェース部材；
第一の端部および第二の端部を有する細長本体であって、該細長本体は、その中の中央に位置する細長本体部材、およびその中に少なくとも２つの管腔を有し、該少なくとも２つの管腔は、該第一の細長本体端部において該インターフェース部材と流体連絡している第一の管腔端部ならびに第二の管腔端部を有する、細長本体；
スプレー先端部遠位端部およびスプレー先端部近位端部を有するスプレー先端部であって、該スプレー先端部は、該近位先端部において該第二の細長本体端部に取り外し可能に連結され、該スプレー先端部は、
該第二の管腔にて少なくとも２つの管腔と連絡している混合チャンバ；
該スプレー先端部遠位端におけるスプレー開口部；および
該スプレー開口部に近接する該混合チャンバ内に位置づけられるスプレー形成部材
を備えるスプレー先端部；ならびに
該第二の管腔端部に近接する該混合チャンバ内に位置づけられる少なくとも１つの可撓性混合部材であって、該可撓性混合部材は、弾性的な性質を有し、かつ、該細長本体部材に係合して、該少なくとも２つの管腔への接近を制限して、該混合チャンバから該少なくとも２つの管腔への材料の逆流を防止するように配置される、少なくとも１つの可撓性混合部材
を備える、
腹腔鏡スプレーデバイス。
【請求項３】
請求項１または２に記載のデバイスであって、前記インターフェース部材は、さらに以下：
少なくとも２つの連結部材であって、該連結部材内に形成される少なくとも２つの受容開口部を有する、少なくとも２つの連結部材；
該インターフェース部材内に配置される少なくとも２つの輸送管腔であって、前記細長本体内で、前記少なくとも２つの管腔と流体連絡している、少なくとも２つの輸送管腔；
を備え、
該少なくとも２つの受容開口部は、前記少なくとも２つの材料レザバに連結され得る、
デバイス。
【請求項４】
前記少なくとも２つの連結部材は、こぶ付きノブ（ｋｎｕｒｌｅｄ  ｋｎｏｂ）を備える、請求項３に記載のデバイス。
【請求項５】
前記少なくとも２つの連結部材は、ルアーロック関係で前記少なくとも２つの材料レザバに連結されている、請求項３に記載のデバイス。
【請求項６】
前記少なくとも２つの連結部材は、スリップフィット関係で前記少なくとも２つの材料レザバに連結されている、請求項３に記載のデバイス。
【請求項７】
前記少なくとも２つの連結部材は、ねじ様関係で前記少なくとも２つの材料レザバに連結されている、請求項３に記載のデバイス。
【請求項８】
請求項３に記載のデバイスであって、前記少なくとも２つの連結部材は、前記受容開口部の各々の内部に配置された少なくとも１つのロッキング部材を備え、該ロッキング部材は、スナップフィット関係で前記材料アプリケータを該ロッキング部材内に係合および保持することができる、デバイス。
【請求項９】
請求項３に記載のデバイスであって、前記少なくとも２つの連結部材は、以下：
ネジ切りした内壁を有する少なくとも２つの外側スリーブであって、内径Ｄを有する、少なくとも２つの外側スリーブ；および、
前記受容開口部を規定する少なくとも２つのコレットであって、該少なくとも２つのコレットは、該少なくとも２つの外側スリーブの該ねじ切りした内壁に係合し得る外向きにねじ切りした基部を有し、該少なくとも２つのコレットは、外径Ｄ’を有し、ここでＤ’は、Ｄよりも大きい、少なくとも２つのコレット、
を備える、デバイス。
【請求項１０】
前記細長本体内の少なくとも２つの管腔は、等しい直径を有する、請求項１または２に記載のデバイス。
【請求項１１】
前記細長本体内の少なくとも２つの管腔は、等しい直径を有さない、請求項１または２に記載のデバイス。
【請求項１２】
前記細長本体内の少なくとも２つの管腔は、環状である、請求項１または２に記載のデバイス。
【請求項１３】
前記細長本体内の少なくとも２つの管腔は、Ｄ字形状である、請求項１または２に記載のデバイス。
【請求項１４】
請求項１または２に記載のデバイスであって、前記細長本体は、さらに以下：
固定内側本体部材であって、該部材内に形成された少なくとも２つの管腔を有する、固定内側本体部材；および、
長手方向に滑動可能な、外側本体部材、
を備える、デバイス。
【請求項１５】
請求項１または２に記載のデバイスであって、ここで、前記細長本体は、
固定内側本体部材であって、その中に前記少なくとも２つの管腔を有する、固定内側本体部分；および
長手軸方向に滑動可能な外側本体部材
をさらに備える、デバイス。
【請求項１６】
請求項１４に記載のデバイスであって、前記細長本体は、第二の端部上に配置されたスプレー先端部レシーバを備え、該スプレー先端部レシーバは、前記スプレー先端部を係合および保持することができる、デバイス。
【請求項１７】
前記細長本体は、剛性である、請求項１または２に記載のデバイス。
【請求項１８】
前記細長本体は、可撓性である、請求項１または２に記載のデバイス。
【請求項１９】
前記少なくとも１つの可撓性混合部材は、弾性ディスクを備え、該ディスク内に開口部が形成されている、請求項１または２に記載のデバイス。
【請求項２０】
請求項１または２に記載のデバイスであって、ここで、前記少なくとも１つの可撓性混合部材が可撓性ワッシャーを含む、デバイス。
【請求項２１】
請求項１または２に記載のデバイスであって、ここで、前記細長本体が、その中の中央に配置される細長本体部材を有し、そして、前記少なくとも１つの可撓性混合部材が、弾性的な性質を有し、かつ、該細長本体部材に係合して、該少なくとも２つの管腔への接近を制限して、該混合チャンバから該少なくとも２つの管腔内への材料の逆流を防止するように配置される、デバイス。
【請求項２２】
前記少なくとも１つの可撓性混合部材は、前記混合チャンバから前記細長本体の前記少なくとも２つの管腔への材料の流れを制限することができる、請求項１または２に記載のデバイス。
【請求項２３】
前記スプレー先端部は、スナップフィット関係で前記細長本体に取り外し可能に連結されている、請求項１または２に記載のデバイス。
【請求項２４】
請求項１または２に記載のデバイスであって、前記可撓性混合部材は、成分材料を進めることによって適用される力に応答して曲げられて狭め要素を形成するように配置され、そして、該可撓性混合部材は、該混合チャンバ内で乱流を形成することによって該成分材料のインピンジメント混合を起こし得る、デバイス。
【請求項２５】
複数成分材料をインビボの位置に適用する際に有用な腹腔鏡スプレーデバイスであって、以下：
インターフェース部材であって、少なくとも２種の材料成分を貯蔵する少なくとも２つの材料レザバを有する材料アプリケータに取り外し可能に連結され得る、インターフェース部材；
第一の端部および第二の端部を有する細長本体であって、該細長本体は、少なくとも２つの管腔をその中に有し、該少なくとも２つの管腔は、該第一の細長本体端部にて、該第一のインターフェース部材と流体連絡している第一の管腔端部および第二の管腔端部を有する、細長本体；
スプレー先端部遠位端部およびスプレー先端部近位端部を有するスプレー先端部であって、該スプレー先端部は、該スプレー先端部近位端部において該第二の細長本体端部に取り外し可能に連結され、該スプレー先端部は、
該第二の管腔端部にて該少なくとも２つの管腔と連絡している混合チャンバ；
該スプレー先端部遠位端部におけるスプレー開口部；および
該スプレー開口部に近接する該混合チャンバ内に位置づけられるスプレー形成部材
を備えるスプレー先端部；ならびに
該第二の管腔端部に近接する該混合チャンバ内に位置づけられる少なくとも１つの可撓性混合部材であって、該可撓性混合部材は、成分材料を進めることによって適用される力に応答して曲げられて狭め要素を形成するように配置され、そして、該可撓性混合部材は、該混合チャンバ内で混合乱流を形成することによって該成分材料のインピンジメント混合を起こし得る、少なくとも１つの可撓性混合部材
を備え、そして、
該可撓性混合部材は、弾性的な性質を有し、かつ、該細長本体部材に係合して、該少なくとも２つの管腔への接近を制限して、該混合チャンバから該少なくとも２つの管腔内への材料の逆流を防止するように配置される、
腹腔鏡スプレーデバイス。